(57)【要約】      （修正有） 【課題】小さなものから幼児までの保持機能を備えた自動車用付属品付きシートカバーを提供する。【解決手段】自動車用シートのシートカバーに引っ掛け部０７及び差し込み部０６のうち、少なくともいずれか一つを含めて設けたシートカバーと、引っ掛け部に掛けるフック部２０及び差し込み部に差し込む差し部のうち、少なくともいずれか一つを含めた付属品とからなることを特徴とする。【選択図】図１
0003196505.tif 000002
【実用新案登録請求の範囲】
【請求項１】
自動車用シートに差し込み部及び引っ掛け部のうち、少なくともいずれか一つを含めて設けたシートと、フック部及び差し部のうち、少なくともいずれか一つを含めた付属品とからなることを特徴とする自動車用付属品付きシートカバー。
【請求項２】
上記付属品は、両側に上記フック部を設けたもの及びゴム紐の両側に上記フック部を設けたもの及び、物入及び、箱及び、袋及び、面ファスナーに上記フック部及び上記差し込み部のうち、少なくともいずれか一つを含めて設けたことを特徴とする自動車用付属品付きシートカバー。
【請求項３】
上記付属品は、ヘッドレスト及び、上記面ファスナーを利用したフック部及び差し込み部のうち、少なくともいずれか一つを含めて設けた幼児用保持具があることを特徴とする自動車用付属品付きシートカバー。
【考案の詳細な説明】
【技術分野】
【０００１】
本考案は、自動車のシートを被覆する形で取り付ける自動車用シートカバーと付属品であって、小さなものから幼児までの保持機能を備えたものに関するものである。
【背景技術】
【０００２】
従来の自動車用シートカバーは、自動車用シートカバーにポケットを設けた特許文献１の方法がある。
【先行技術文献】
【特許文献】
【０００３】
【特許文献１】実願平１１−３２１６号公報
【考案の概要】
【考案が解決しようとする課題】
【０００４】
現在ある自動車用シートカバーにポケットを設けた方法があるが、ポケットの位置や大きさ形が決められており、利き腕や保持したいものによってポケットの大きさや取り付け場所が固定しているため不具合を生ずることがある。
【課題を解決するための手段】
【０００５】
本考案は、上記目的を達成するため、自動車用シートに差し込み部及び引っ掛け部のうち、少なくともいずれか一つを含めて設けたシートと、フック部及び差し部のうち、少なくともいずれか一つを含めて付属品とからなることを特徴とする。
【０００６】
また、上記付属品は、両側に上記フック部を設けたもの及びゴム紐の両側に上記フック部を設けたもの及び物入及び、箱及び、袋及び、面ファスナーに上記フック部及び上記差し部のうち、少なくともいずれか一つを含めて設けたことを特徴とする。
【０００７】
また、上記付属品は、ヘッドレスト及び、上記面ファスナーを利用したフック部及び差し部のうち、少なくともいずれか一つを含めて設けた幼児用保持具があることを特徴とする。
【考案の効果】
【０００８】
本考案の効果は、小さいものから幼児まで保持することが可能で、保持したいものや利き腕等で出納し易い位置や大きさ形を、保持したいものに合わせて保持部を自分で選び取り付けることが可能である。
【図面の簡単な説明】
【０００９】
【図１】本考案の使用例の一つのセパレートシートに取り付けた斜視図である。
【図２】本考案の一部であるシートカバーの一例を示し、同図(a)は正面平面図、同図(b)は側面平面図、同図(c)は後面平面図、同図(d)は上面平面図、同図(e)はヘッドレストカバーの斜視図である。
【図３】本考案の一部である付属品を示し、同図(a)は両側にフック部を有する付属品斜視図、同図(b)、(c)は差し部を有する付属品の斜視図である。
【図４】本考案の一部である差し部及び、フック部付収納部がある付属品を示し、同図(a)、(b)、(c)は付属品の斜視図である。
【図５】本考案の一部である付属品の幼児用簡易イスを示し、同図(a)は面ファスナー付付属品の斜視図、同図(b)は幼児用イスの斜視図、同図(c)は幼児用イスの後面平面図である。
【考案を実施するための形態】
【００１０】
以下、本考案を、図１、図２、図３、図４、図５を参照しながら詳細に説明する。
【００１１】
図１は、本考案の使用例の一つを示すセパレートシートに差し込み部０６と引っ掛け部０７をシートカバー１とヘッドレストカバー１３の全体に設け、考案の一部の付属品の中の数種の付属品を使っている一例の斜視図である。
【００１２】
図２は、本考案の使用例の一つを示すシートカバー１の正面平面図と側面平面図と後面平面図と上面平面図とヘッドレストカバー１３の斜視図であり、シートカバー１及び、ヘッドレストカバー１３全体に引っ掛け部０７及び、差し込み部０６がある。
また、シートカバー１にはシートに着脱できるように縦ベルト０８、横ベルト０９、ベルト調節部１０、ベルト着脱部１１、ヘッドレスト用穴１２があり、ヘッドレストカバー１３を着脱するための取り付け紐１４がある。
【００１３】
図３は、本考案の一部である付属品を示す外れ留め部２１を有するフック部２０及び、物入れ取付部２３を有した差し部２２の斜視図及び、ハンガー部２４を有した差し部２２の付属品の斜視図である。
【００１４】
図４は、本考案の一部である取付受け入れ部３１及び、フック部２０を有する収納部がある付属品を示し、中仕切具３３を有する物入３２及び、箱３４及び、袋３５の斜視図である。
【００１５】
図５は、本考案の一部であるの幼児用簡易イスを示し、足出口４１、面ファスナーフック４２、縦ベルト０８、横ベルト０９、ベルト調節部１０、ベルト着脱部１１、を有した幼児イス本体４０及び、面ファスナーループ４３にフック部２０、差し部２２を有した付属品である。
【実施例】
【００１６】
図１の本考案の使用例の一つを示す差し込み部０６と引っ掛け部０７を設けたシートカバー１とヘッドレストカバー１３に、考案の一部の付属品の中の数個の付属品を使っている一例で、差し込み部０６及び引っ掛け部０７があるところには、色々な付属品を取り付けることができる。  
【００１７】
図２の、本考案の例の一つを示すシートカバー１及び、ヘッドレストカバー１３は、全体に差し込み部０６及び引っ掛け部０７を設けているため、必要な場所に必要な付属品を取り付けて使用することができる。
また、縦ベルト０８、横ベルト０９、ベルト調節部１０、ベルト着脱部１１、ヘッドレスト用穴１２、取り付け紐１４を利用して、シートに着脱することが可能である。
【００１８】
図３の、本考案の一部である付属品を示す外れ留め部２１を有するフック部２０は、引っ掛け部０７にフック部２０を簡単に取り付けることができるが、外れ留め部２１によって自然には外れにくい。
また、差し込み部０６は、上から差し込むだけなので取り付け取り外しが容易で、左右前後にずれにくいが、引っ掛け部０７と併用すれば、左右前後にずれにくく外れにくい付属品になる。
また、ハンガー部２４と差し部２２を有する付属品は、簡単に取り付け取り外しができるが通常の運転状態では外れることがないため、ハンガー部２４に上着や、バッグ、買い物袋などを掛けて利用することができる。
【００１９】
図４の、本考案の一部である取付受け入れ部３１及び、フック部２０を有する収納部は、物入後部３０に設けられた取付受け入部３１と物入れ取付部２３に差し部２２有した付属品により、差し込み部０６があるところに取り付けることが可能である。
また、取付受け入れ部３１及び、フック部２０を有し、中仕切具３３を有する箱３４は、箱３４をシート座部１６に置き、物入れ取付部２３に差し部２２有した付属品と取付受け入れ部３１とフック部２０をシートカバー１の下方にある差し込み部０６及び引っ掛け部０７に取り付け、急ブレーキをかけても箱が落ちることがなく、中仕切具３３で小さなものも分けて混ざることなく使用することが可能である。
尚、取付受け入れ部３１を差し部２２にかえて、直接差し込み部０６に取り付けることも可能である。
【００２０】
図５の、本考案の一部であるの幼児用簡易イスは、幼児イス本体４０の縦ベルト０８をヘッドレスト取り付け棒１５に掛けてベルト調節部１０で子供の大きさにより幼児イス本体４０の高さを決め、横ベルト０９、ベルト調節部１０、ベルト着脱部１１を用いて幼児イス本体４０の座部を子供の大きさに合わせることができる。
しかし、このまま自動車に装備されているシートベルトをしても、車の左右の揺れに幼児イス本体４０が安定しないが、幼児イス本体４０のカバー前面部０１に当たるところに面ファスナーフック４２を設けることにより、カバー前面部０１の差し込み部０６及び引っ掛け部０７にフック部２０、差し部２２を有した面ファスナーループ４３の付属品に接着することにより、幼児イス本体４０がカバー前面部０１に着き、左右の揺れにも安定する。
また、付属品としてのフック部２０及び、差し部２２を有した面ファスナーループ４３は、面ファスナーフック４２を取り付けたものなら、簡単に簡易的に着けて保持することが可能である。
【００２１】
図示はしていないが、トランクに入らない長い棒を乗用車で運ぶ時、助手席を倒して長い棒を入れても車の揺れに安定せず安全運転にも支障があるが、ゴム紐の両側にフック部２０を設けた付属品と、シートカバー１及びヘッドレストカバー１３全体にある引っ掛け部０７と両側にフック部２０がある付属品を数個利用して、自転車の荷台に荷物をゴム紐で止めるように拘束することができる。  
【００２２】
図示はしていないが、シートカバー１の後側のカバー後面左部０４がカバー後面右部０５に重なるまで長くさせ、両面ファスナーで設けることにより、シートカバー１の着脱の装置が見えなくなるとともにシートカバー１の後面全体に差し込み部０６及び引っ掛け部０７を設けることができ、後面全体に付属品を取り付けることが可能で後部座席の前にも、付属品を利用してペットボトルを含めて色々なものを保持することが可能になる。
【００２３】
図示はしていないが、シートカバー１をシート座部１６も含めて覆う大きさにし、お尻に当たるところ以外全体に差し込み部０６及び引っ掛け部０７を設けることにより、助手席の足元にフック部２０及び差し部２２を有した、物入３２やごみ箱など付属品を取り付けることができる。
また、シート座部１６も含めて覆う大きさのシートカバー１の差し込み部０６及び引っ掛け部０７と覆うシートに取り付けたフック部２０及び差し部２２利用して、シートカバー１の一部または全体を覆うシートを簡単に着脱することができ、シートの色合いで車内の雰囲気を変えることが出来るだけでなく、子供の座る場所に防水加工をしたシートに変えることにより飲み物などをこぼしてシートを汚す心配もなくなる。
尚、自動車のシート自体に差し込み部０６及び引っ掛け部０７を設けることもできる。
【符号の説明】
【００２４】
１    シートカバー
０１  カバー前面部
０２  カバー側面部
０３  カバー上部
０４  カバー後面左部
０５  カバー後面右部
０６  差し込み部
０７  引っ掛け部
０８  縦ベルト
０９  横ベルト
１０  ベルト調節部
１１  ベルト着脱部
１２  ヘッドレスト用穴
１３  ヘッドレストカバー
１４  取り付け紐
１５  ヘッドレスト取付棒
１６  シート座部
２０  フック部
２１  外れ留め部
２２  差し部
２３  物入れ取付部
２４  ハンガー部
３０  物入後部
３１  取付受け入れ部
３２  物入
３３  中仕切具
３４  箱
３５  袋
４０  幼児イス本体
４１  足出口
４２  面ファスナーフック
４３  面ファスナーループ
【図１】
0003196505.tif 000003
【図２】
0003196505.tif 000004
【図３】
0003196505.tif 000005
【図４】
0003196505.tif 000006
【図５】
0003196505.tif 000007
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
自動車用シートのシートカバーに引っ掛け部及び差し込み部のうち、少なくともいずれか一つを含めて設けたシートカバーと、前記引っ掛け部に掛けるフック部及び前記差し込み部に差し込む差し部のうち、少なくともいずれか一つを含めた付属品とからなることを特徴とする自動車用付属品付きシートカバー。
【請求項２】
前記付属品は、前記引っ掛け部及び物品又は物入を掛けるための前記フック部を設けたもの及びゴム紐の両側に前記フック部を設けたもの及び、物入及び、箱及び、袋及び、面ファスナーに前記引っ掛け部に掛ける前記フック部及び前記差し込み部に差し込む前記差し部のうち、少なくともいずれか一つを含めて設けたことを特徴とする自動車用付属品付きシートカバー。
【請求項３】
前記付属品は、ヘッドレスト及び、前記面ファスナーを利用した前記引っ掛け部に掛ける前記フック部及び前記差し込み部に差し込む前記差し部のうち、少なくともいずれか一つを含めて設けた幼児用保持具があることを特徴とする自動車用付属品付きシートカバー。
【手続補正２】
【補正対象書類名】明細書
【補正対象項目名】全文
【補正方法】変更
【補正の内容】
【考案の詳細な説明】
【技術分野】
【０００１】  本考案は、自動車のシートを被覆する形で取り付ける自動車用シートカバーと付属品であって、小さなものから幼児までの保持機能を備えたものに関するものである。
【背景技術】
【０００２】  従来の自動車用シートカバーは、自動車用シートカバーにポケットを設けた特許文献１の方法がある。
【先行技術文献】
【特許文献】
【０００３】
【特許文献１】実願平１１−３２１６号公報
【考案の概要】
【考案が解決しようとする課題】
【０００４】  現在ある自動車用シートカバーにポケットを設けた方法があるが、ポケットの位置や大きさ形が決められており、利き腕や保持したいものによってポケットの大きさや取り付け場所が固定しているため不具合を生ずることがある。
【課題を解決するための手段】
【０００５】  本考案は、上記目的を達成するため、自動車用シートのシートカバーに引っ掛け部及び差し込み部のうち、少なくともいずれか一つを含めて設けたシートカバーと、前記引っ掛け部に掛けるフック部及び前記差し込み部に差し込む差し部のうち、少なくともいずれか一つを含めた付属品とからなることを特徴とする。【０００６】  また、前記付属品は、前記引っ掛け部及び物品又は物入を掛けるための前記フック部を設けたもの及びゴム紐の両側に前記フック部を設けたもの及び、物入及び、箱及び、袋及び、面ファスナーに前記引っ掛け部に掛ける前記フック部及び前記差し込み部に差し込む前記差し部のうち、少なくともいずれか一つを含めて設けたことを特徴とする。【０００７】  また、前記付属品は、ヘッドレスト及び、前記面ファスナーを利用した前記引っ掛け部に掛ける前記フック部及び前記差し込み部に差し込む前記差し部のうち、少なくともいずれか一つを含めて設けた幼児用保持具があることを特徴とする。
【考案の効果】
【０００８】  本考案の効果は、小さいものから幼児まで保持することが可能で、保持したいものや利き腕等で出納し易い位置や大きさ形を、保持したいものに合わせて保持部を自分で選び取り付けることが可能である。
【図面の簡単な説明】
【０００９】
【図１】本考案の使用例の一つのセパレートシートに取り付けた斜視図である。
【図２】本考案の一部であるシートカバーの一例を示し、同図(a)は正面平面図、同図(b)は側面平面図、同図(c)は後面平面図、同図(d)は上面平面図、同図(e)はヘッドレストカバーの斜視図である。
【図３】本考案の一部である付属品を示し、同図(a)は両側にフック部を有する付属品斜視図、同図(b)、(c)は差し部を有する付属品の斜視図である。
【図４】本考案の一部である差し部及び、フック部付収納部がある付属品を示し、同図(a)、(b)、(c)は付属品の斜視図である。
【図５】本考案の一部である付属品の幼児用簡易イスを示し、同図(a)は面ファスナー付付属品の斜視図、同図(b)は幼児用イスの斜視図、同図(c)は幼児用イスの後面平面図である。
【考案を実施するための形態】
【００１０】  以下、本考案を、図１、図２、図３、図４、図５を参照しながら詳細に説明する。
【００１１】  図１は、本考案の使用例の一つを示すセパレートシートを被覆する形で取り付けたシートカバー１とヘッドレストカバー１３の全体に設けた差し込み部０６と引っ掛け部０７に、考案の一部の差し込み部０６に差し込む差し部２２及び引っ掛け部０７に掛けるフック部２０の少なくともいずれか一つを利用した付属品の中の数種の付属品を掛けてある一例の斜視図である。
【００１２】  図２は、本考案の使用例の一つを示すシートカバー１の正面平面図と側面平面図と後面平面図と上面平面図とヘッドレストカバー１３の斜視図であり、シートカバー１及び、ヘッドレストカバー１３全体に引っ掛け部０７及び、差し込み部０６がある。  また、シートカバー１にはシートに着脱できるように縦ベルト０８、横ベルト０９、ベルト調節部１０、ベルト着脱部１１、ヘッドレスト用穴１２があり、ヘッドレストカバー１３を着脱するための取り付け紐１４がある。
【００１３】  図３は、本考案の一部である付属品を示す外れ留め部２１を有するフック部２０及び、物入れ取付部２３を有した差し部２２の斜視図及び、ハンガー部２４を有した差し部２２の付属品の斜視図である。
【００１４】  図４は、本考案の一部である取付受け入れ部３１及び、フック部２０を有する収納部がある付属品を示し、中仕切具３３を有する物入３２及び、箱３４及び、袋３５の斜視図である。
【００１５】  図５は、本考案の一部であるの幼児用簡易イスを示し、足出口４１、面ファスナーフック４２、縦ベルト０８、横ベルト０９、ベルト調節部１０、ベルト着脱部１１、を有した幼児イス本体４０及び、面ファスナーループ４３にフック部２０、差し部２２を有した付属品である。
【実施例】
【００１６】  図１の本考案の使用例の一つを示す差し込み部０６と引っ掛け部０７を設けたシートカバー１とヘッドレストカバー１３に、考案の一部の付属品の中の数個の付属品を使っている一例で、差し込み部０６及び引っ掛け部０７があるところには、色々な付属品を取り付けることができる。  【００１７】  図２の、本考案の例の一つを示すシートカバー１及び、ヘッドレストカバー１３は、全体に差し込み部０６及び引っ掛け部０７を設けているため、必要な場所に必要な付属品を取り付けて使用することができる。  また、縦ベルト０８、横ベルト０９、ベルト調節部１０、ベルト着脱部１１、ヘッドレスト用穴１２、取り付け紐１４を利用して、シートに着脱することが可能である。【００１８】  図３の、本考案の一部である付属品を示す外れ留め部２１を有するフック部２０は、引っ掛け部０７にフック部２０を簡単に取り付けることができるが、外れ留め部２１によって自然には外れにくい。  また、差し込み部０６は、上から差し込むだけなので取り付け取り外しが容易で、左右前後にずれにくいが、引っ掛け部０７と併用すれば、左右前後にずれにくく外れにくい付属品になる。  また、ハンガー部２４と差し部２２を有する付属品は、簡単に取り付け取り外しができるが通常の運転状態では外れることがないため、ハンガー部２４に上着や、バッグ、買い物袋などを掛けて利用することができる。【００１９】  図４の、本考案の一部である取付受け入れ部３１及び、フック部２０を有する収納部は、物入後部３０に設けられた取付受け入部３１と物入れ取付部２３に差し部２２有した付属品により、差し込み部０６があるところに取り付けることが可能である。  また、取付受け入れ部３１及び、フック部２０を有し、中仕切具３３を有する箱３４は、箱３４をシート座部１６に置き、物入れ取付部２３に差し部２２有した付属品と取付受け入れ部３１とフック部２０をシートカバー１の下方にある差し込み部０６及び引っ掛け部０７に取り付け、急ブレーキをかけても箱が落ちることがなく、中仕切具３３で小さなものも分けて混ざることなく使用することが可能である。  尚、取付受け入れ部３１を差し部２２にかえて、直接差し込み部０６に取り付けることも可能である。【００２０】  図５の、本考案の一部であるの幼児用簡易イスは、幼児イス本体４０の縦ベルト０８をヘッドレスト取り付け棒１５に掛けてベルト調節部１０で子供の大きさにより幼児イス本体４０の高さを決め、横ベルト０９、ベルト調節部１０、ベルト着脱部１１を用いて幼児イス本体４０の座部を子供の大きさに合わせることができる。  しかし、このまま自動車に装備されているシートベルトをしても、車の左右の揺れに幼児イス本体４０が安定しないが、幼児イス本体４０のカバー前面部０１に当たるところに面ファスナーフック４２を設けることにより、カバー前面部０１の差し込み部０６及び引っ掛け部０７にフック部２０、差し部２２を有した面ファスナーループ４３の付属品に接着することにより、幼児イス本体４０がカバー前面部０１に着き、左右の揺れにも安定する。  また、付属品としてのフック部２０及び、差し部２２を有した面ファスナーループ４３は、面ファスナーフック４２を取り付けたものなら���簡単に簡易的に着けて保持することが可能である。【００２１】  図示はしていないが、トランクに入らない長い棒を乗用車で運ぶ時、助手席を倒して長い棒を入れても車の揺れに安定せず安全運転にも支障があるが、ゴム紐の両側にフック部２０を設けた付属品と、シートカバー１及びヘッドレストカバー１３全体にある引っ掛け部０７と両側にフック部２０がある付属品を数個利用して、自転車の荷台に荷物をゴム紐で止めるように拘束することができる。  【００２２】  図示はしていないが、シートカバー１の後側のカバー後面左部０４がカバー後面右部０５に重なるまで長くさせ、両面ファスナーで設けることにより、シートカバー１の着脱の装置が見えなくなるとともにシートカバー１の後面全体に差し込み部０６及び引っ掛け部０７を設けることができ、後面全体に付属品を取り付けることが可能で後部座席の前にも、付属品を利用してペットボトルを含めて色々なものを保持することが可能になる。【００２３】  図示はしていないが、シートカバー１をシート座部１６も含めて覆う大きさにし、お尻に当たるところ以外全体に差し込み部０６及び引っ掛け部０７を設けることにより、助手席の足元にフック部２０及び差し部２２を有した、物入３２やごみ箱など付属品を取り付けることができる。  また、シート座部１６も含めて覆う大きさのシートカバー１の差し込み部０６及び引っ掛け部０７と覆うシートに取り付けたフック部２０及び差し部２２利用して、シートカバー１の一部または全体を、シートカバー１の上から覆うシートを簡単に着脱することができ、シートの色合いで車内の雰囲気を変えることが出来るだけでなく、子供の座る場所に防水加工をしたシートに変えることにより飲み物などをこぼしてシートを汚す心配もなくなる。  尚、自動車のシート自体に差し込み部０６及び引っ掛け部０７を設けることもできる。
【符号の説明】
【００２４】１    シートカバー０１  カバー前面部０２  カバー側面部０３  カバー上部０４  カバー後面左部０５  カバー後面右部０６  差し込み部０７  引っ掛け部０８  縦ベルト０９  横ベルト１０  ベルト調節部１１  ベルト着脱部１２  ヘッドレスト用穴１３  ヘッドレストカバー１４  取り付け紐１５  ヘッドレスト取付棒１６  シート座部２０  フック部２１  外れ留め部２２  差し部２３  物入れ取付部２４  ハンガー部３０  物入後部３１  取付受け入れ部３２  物入３３  中仕切具３４  箱３５  袋４０  幼児イス本体４１  足出口４２  面ファスナーフック４３  面ファスナーループ  
【手続補正書】
【提出日】平成26年11月5日(2014.11.5)
【手続補正１】
【補正対象書類名】実用新案登録請求の範囲
【補正対象項目名】全文
【補正方法】変更
【補正の内容】
【実用新案登録請求の範囲】
【請求項１】
自動車用シートのシートカバーに引っ掛け部及び差し込み部のうち、少なくともいずれか一つを含めて設けたシートカバーと、前記引っ掛け部に掛けるフック部及び前記差し込み部に差し込む差し部のうち、少なくともいずれか一つを含めた付属品とからなることを特徴とする自動車用付属品付きシートカバー。
【請求項２】
前記引っ掛け部に掛けるフック部及び前記差し込み部に差し込む差し部のうち、少なくともいずれか一つを含めた付属品は、前記引っ掛け部及び物品又は物入を掛けるための前記フック部を設けたもの及びゴム紐の両側に前記フック部を設けたもの及び、物入及び、箱及び、袋及び、面ファスナーに前記引っ掛け部に掛ける前記フック部及び前記差し込み部に差し込む前記差し部のうち、少なくともいずれか一つを含めて設けたことを特徴とする自動車用付属品付きシートカバー。
【請求項３】
前記引っ掛け部に掛けるフック部及び前記差し込み部に差し込む差し部のうち、少なくともいずれか一つを含めた付属品は、ヘッドレスト及び、面ファスナーを利用した前記引っ掛け部に掛ける前記フック部及び前記差し込み部に差し込む前記差し部のうち、少なくともいずれか一つを含めて設けた幼児用保持具があることを特徴とする自動車用付属品付きシートカバー。
【手続補正２】
【補正対象書類名】明細書
【補正対象項目名】全文
【補正方法】変更
【補正の内容】
【考案の詳細な説明】
【技術分野】
【０００１】
本考案は、自動車のシートを被覆する形で取り付ける自動車用シートカバーと付属品であって、小さなものから幼児までの保持機能を備えたものに関するものである。
【背景技術】
【０００２】
従来の自動車用シートカバーは、自動車用シートカバーにポケットを設けた特許文献１の方法がある。
【先行技術文献】
【特許文献】
【０００３】
【特許文献１】実願平１１−３２１６号公報
【考案の概要】
【考案が解決しようとする課題】
【０００４】
現在ある自動車用シートカバーにポケットを設けた方法があるが、ポケットの位置や大きさ形が決められており、利き腕や保持したいものによってポケットの大きさや取り付け場所が固定しているため不具合を生ずることがある。
【課題を解決するための手段】
【０００５】
本考案は、上記目的を達成するため、自動車用シートのシートカバーに引っ掛け部及び差し込み部のうち、少なくともいずれか一つを含めて設けたシートカバーと、前記引っ掛け部に掛けるフック部及び前記差し込み部に差し込む差し部のうち、少なくともいずれか一つを含めた付属品とからなることを特徴とする。
【０００６】
また、前記引っ掛け部に掛けるフック部及び前記差し込み部に差し込む差し部のうち、少なくともいずれか一つを含めた付属品は、前記引っ掛け部及び物品又は物入を掛けるための前記フック部を設けたもの及びゴム紐の両側に前記フック部を設けたもの及び、物入及び、箱及び、袋及び、面ファスナーに前記引っ掛け部に掛ける前記フック部及び前記差し込み部に差し込む前記差し部のうち、少なくともいずれか一つを含めて設けたことを特徴とする。
【０００７】
また、前記引っ掛け部に掛けるフック部及び前記差し込み部に差し込む差し部のうち、少なくともいずれか一つを含めた付属品は、ヘッドレスト及び、面ファスナーを利用した前記引っ掛け部に掛ける前記フック部及び前記差し込み部に差し込む前記差し部のうち、少なくともいずれか一つを含めて設けた幼児用保持具があることを特徴とする。
【考案の効果】
【０００８】
本考案の効果は、小さいものから幼児まで保持することが可能で、保持したいものや利き腕等で出納し易い位置や大きさ形を、保持したいものに合わせて保持部を自分で選び取り付けることが可能である。
【図面の簡単な説明】
【０００９】
【図１】本考案の使用例の一つのセパレートシートに取り付けた斜視図である。
【図２】本考案の一部であるシートカバーの一例を示し、同図(a)は正面平面図、同図(b)は側面平面図、同図(c)は後面平面図、同図(d)は上面平面図、同図(e)はヘッドレストカバーの斜視図である。
【図３】本考案の一部である付属品を示し、同図(a)は両側にフック部を有する付属品斜視図、同図(b)、(c)は差し部を有する付属品の斜視図である。
【図４】本考案の一部である差し部及び、フック部付収納部がある付属品を示し、同図(a)、(b)、(c)は付属品の斜視図である。
【図５】本考案の一部である付属品の幼児用簡易イスを示し、同図(a)は面ファスナー付付属品の斜視図、同図(b)は幼児用イスの斜視図、同図(c)は幼児用イスの後面平面図である。
【考案を実施するための形態】
【００１０】
以下、本考案を、図１、図２、図３、図４、図５を参照しながら詳細に説明する。
【００１１】
図１は、本考案の使用例の一つを示すセパレートシートを被覆する形で取り付けたシートカバー１とヘッドレストカバー１３の全体に設けた差し込み部０６と引っ掛け部０７に、考案の一部の差し込み部０６に差し込む差し部２２及び引っ掛け部０７に掛けるフック部２０の少なくともいずれか一つを利用した付属品の中の数種の付属品を掛けてある一例の斜視図である。
【００１２】
図２は、本考案の使用例の一つを示すシートカバー１の正面平面図と側面平面図と後面平面図と上面平面図とヘッドレストカバー１３の斜視図であり、シートカバー１及び、ヘッドレストカバー１３全体に引っ掛け部０７及び、差し込み部０６がある。
また、シートカバー１にはシートに着脱できるように縦ベルト０８、横ベルト０９、ベルト調節部１０、ベルト着脱部１１、ヘッドレスト用穴１２があり、ヘッドレストカバー１３を着脱するための取り付け紐１４がある。
【００１３】
図３は、本考案の一部である付属品を示す外れ留め部２１を有するフック部２０及び、物入れ取付部２３を有した差し部２２の斜視図及び、ハンガー部２４を有した差し部２２の付属品の斜視図である。
【００１４】
図４は、本考案の一部である取付受け入れ部３１及び、フック部２０を有する収納部がある付属品を示し、中仕切具３３を有する物入３２及び、箱３４及び、袋３５の斜視図である。
【００１５】
図５は、本考案の一部であるの幼児用簡易イスを示し、足出口４１、面ファスナーフック４２、縦ベルト０８、横ベルト０９、ベルト調節部１０、ベルト着脱部１１、を有した幼児イス本体４０及び、面ファスナーループ４３にフック部２０、差し部２２を有した付属品である。
【実施例】
【００１６】
図１の本考案の使用例の一つを示す差し込み部０６と引っ掛け部０７を設けたシートカバー１とヘッドレストカバー１３に、考案の一部の付属品の中の数個の付属品を使っている一例で、差し込み部０６及び引っ掛け部０７があるところには、色々な付属品を取り付けることができる。  
【００１７】
図２の、本考案の例の一つを示すシートカバー１及び、ヘッドレストカバー１３は、全体に差し込み部０６及び引っ掛け部０７を設けているため、必要な場所に必要な付属品を取り付けて使用することができる。
また、縦ベルト０８、横ベルト０９、ベルト調節部１０、ベルト着脱部１１、ヘッドレスト用穴１２、取り付け紐１４を利用して、シートに着脱することが可能である。
【００１８】
図３の、本考案の一部である付属品を示す外れ留め部２１を有するフック部２０は、引っ掛け部０７にフック部２０を簡単に取り付けることができるが、外れ留め部２１によって自然には外れにくい。
また、差し込み部０６は、上から差し込むだけなので取り付け取り外しが容易で、左右前後にずれにくいが、引っ掛け部０７と併用すれば、左右前後にずれにくく外れにくい付属品になる。
また、ハンガー部２４と差し部２２を有する付属品は、簡単に取り付け取り外しができるが通常の運転状態では外れることがないため、ハンガー部２４に上着や、バッグ、買い物袋などを掛けて利用することができる。
【００１９】
図４の、本考案の一部である取付受け入れ部３１及び、フック部２０を有する収納部は、物入後部３０に設けられた取付受け入部３１と物入れ取付部２３に差し部２２有した付属品により、差し込み部０６があるところに取り付けることが可能である。
また、取付受け入れ部３１及び、フック部２０を有し、中仕切具３３を有する箱３４は、箱３４をシート座部１６に置き、物入れ取付部２３に差し部２２有した付属品と取付受け入れ部３１とフック部２０をシートカバー１の下方にある差し込み部０６及び引っ掛け部０７に取り付け、急ブレーキをかけても箱が落ちることがなく、中仕切具３３で小さなものも分けて混ざることなく使用することが可能である。
尚、取付受け入れ部３１を差し部２２にかえて、直接差し込み部０６に取り付けることも可能である。
【００２０】
図５の、本考案の一部であるの幼児用簡易イスは、幼児イス本体４０の縦ベルト０８をヘッドレスト取り付け棒１５に掛けてベルト調節部１０で子供の大きさにより幼児イス本体４０の高さを決め、横ベルト０９、ベルト調節部１０、ベルト着脱部１１を用いて幼児イス本体４０の座部を子供の大きさに合わせることができる。
しかし、このまま自動車に装備されているシートベルトをしても、車の左右の揺れに幼児イス本体４０が安定しないが、幼児イス本体４０のカバー前面部０１に当たるところに面ファスナーフック４２を設けることにより、カバー前面部０１の差し込み部０６及び引っ掛け部０７にフック部２０、差し部２２を有した面ファスナーループ４３の付属品に接着することにより、幼児イス本体４０がカバー前面部０１に着き、左右の揺れにも安定する。
また、付属品としてのフック部２０及び、差し部２２を有した面ファスナーループ４３は、面ファスナーフック４２を取り付けたものなら、簡単に簡易的に着けて保持することが可能である。
【００２１】
図示はしていないが、トランクに入らない長い棒を乗用車で運ぶ時、助手席を倒して長い棒を入れても車の揺れに安定せず安全運転にも支障があるが、ゴム紐の両側にフック部２０を設けた付属品と、シートカバー１及びヘッドレストカバー１３全体にある引っ掛け部０７と両側にフック部２０がある付属品を数個利用して、自転車の荷台に荷物をゴム紐で止めるように拘束することができる。  
【００２２】
図示はしていないが、シートカバー１の後側のカバー後面左部０４がカバー後面右部０５に重なるまで長くさせ、両面ファスナーで設けることにより、シートカバー１の着脱の装置が見えなくなるとともにシートカバー１の後面全体に差し込み部０６及び引っ掛け部０７を設けることができ、後面全体に付属品を取り付けることが可能で後部座席の前にも、付属品を利用してペットボトルを含めて色々なものを保持することが可能になる。
【００２３】
図示はしていないが、シートカバー１をシート座部１６も含めて覆う大きさにし、お尻に当たるところ以外全体に差し込み部０６及び引っ掛け部０７を設けることにより、助手席の足元にフック部２０及び差し部２２を有した、物入３２やごみ箱など付属品を取り付けることができる。
また、シート座部１６も含めて覆う大きさのシートカバー１の差し込み部０６及び引っ掛け部０７と覆うシートに取り付けたフック部２０及び差し部２２利用して、シートカバー１の一部または全体を、シートカバー１の上から覆うシートを簡単に着脱することができ、シートの色合いで車内の雰囲気を変えることが出来るだけでなく、子供の座る場所に防水加工をしたシートに変えることにより飲み物などをこぼしてシートを汚す心配もなくなる。
尚、自動車のシート自体に差し込み部０６及び引っ掛け部０７を設けることもできる。
【符号の説明】
【００２４】
１    シートカバー
０１  カバー前面部
０２  カバー側面部
０３  カバー上部
０４  カバー後面左部
０５  カバー後面右部
０６  差し込み部
０７  引っ掛け部
０８  縦ベルト
０９  横ベルト
１０  ベルト調節部
１１  ベルト着脱部
１２  ヘッドレスト用穴
１３  ヘッドレストカバー
１４  取り付け紐
１５  ヘッドレスト取付棒
１６  シート座部
２０  フック部
２１  外れ留め部
２２  差し部
２３  物入れ取付部
２４  ハンガー部
３０  物入後部
３１  取付受け入れ部
３２  物入
３３  中仕切具
３４  箱
３５  袋
４０  幼児イス本体
４１  足出口
４２  面ファスナーフック
４３  面ファスナーループ  
【手続補正書】
【提出日】平成27年1月14日(2015.1.14)
【手続補正１】
【補正対象書類名】実用新案登録請求の範囲
【補正対象項目名】全文
【補正方法】変更
【補正の内容】
【実用新案登録請求の範囲】
【請求項１】
自動車用シートのシートカバーに引っ掛け部及び差し込み部のうち、少なくともいずれか
一つを含めて設けたシートカバーと、前記引っ掛け部に掛けるフック部及び前記差し込み
部に差し込む差し部のうち、少なくともいずれか一つを含めた付属品とからなることを特
徴とする自動車用付属品付きシートカバー。
【請求項２】
前記引っ掛け部に掛けるフック部及び前記差し込み部に差し込む差し部のうち、少なくと
もいずれか一つを含めた付属品は、前記引っ掛け部及び物品又は物入を掛けるための前記
フック部を設けたもの及びゴム紐の両側に前記フック部を設けたもの及び、物入及び、箱
及び、袋及び、面ファスナーに前記引っ掛け部に掛ける前記フック部及び前記差し込み部
に差し込む前記差し部のうち、少なくともいずれか一つを含めて設けたことを特徴とする
請求項１に記載の自動車用付属品付きシートカバー。
【請求項３】
前記引っ掛け部に掛けるフック部及び前記差し込み部に差し込む差し部のうち、少なくと
もいずれか一つを含めた付属品は、ヘッドレスト及び、面ファスナーを利用した前記引っ
掛け部に掛ける前記フック部及び前記差し込み部に差し込む前記差し部のうち、少なくと
もいずれか一つを含めて設けた幼児用保持具があることを特徴とする請求項２に記載の自動車用付属品付き
シートカバー。